(57)【要約】【課題】  両面印刷が可能な、又は、印刷速度の変更が可能な機構を有する画像形成装置に関し、両面印刷や高速印刷に耐えられない品質か否かを識別又は設定することによって、搬送不良等の印刷の無駄の少ない信頼性のある、印刷品質の高い画像形成装置を提供することを課題とする。【解決手段】  操作者又は上位装置からの要求に応じて、両面印刷方式又は片面印刷方式のいずれかの指示、及び、印刷速度の指示を行う印刷方式・速度指示手段と、指示に応じて両面印刷方式又は片面印刷方式の制御を行う印刷方式制御手段と、指示された印刷速度の制御を行う印刷速度制御手段と、前記印刷方式・速度指示手段によって両面印刷方式が指示された場合には、前記印刷速度制御手段に対して、前記印刷方式・速度指示手段によって指示された印刷速度よりもより低速の印刷速度を指示する低速印刷指示手段とを有するように構成する。【選択図】  図２
2008296594.tif 000002
【特許請求の範囲】
【請求項１】
操作者又は上位装置からの要求に応じて、両面印刷方式又は片面印刷方式のいずれかの指示、及び、印刷速度の指示を行う印刷方式・速度指示手段と、指示に応じて両面印刷方式又は片面印刷方式の制御を行う印刷方式制御手段と、指示された印刷速度の制御を行う印刷速度制御手段と、前記印刷方式・速度指示手段によって両面印刷方式が指示された場合には、前記印刷速度制御手段に対して、前記印刷方式・速度指示手段によって指示された印刷速度よりもより低速の印刷速度を指示する低速印刷指示手段とを有することを特徴とする画像形成装置。
【請求項２】
操作者の所定の操作に応じて、予め定められた順序で各種モードに応じた設定内容が順次切り換えられ、当該操作を繰り返すことによって順次各種モードの設定が行われる各種モード順次設定手段と、前記各種モード順次設定手段の各種モードに応じた設定の内容の切換えに同期して、当該設定内容に関連する事項を順次表示する表示手段と、媒体が収容される媒体収容部の取着又は脱着を検出する媒体収容部着脱検出手段と、前記媒体収容部の着脱が検出された場合には、前記設定内容及び表示内容を、媒体が耐え得る印刷速度の設定を行う段階に切り換える印刷速度設定段階切換手段と、前記各種モード順次設定手段を用いて設定された、取り付けられた１若しくは２以上の前記媒体収容部に収容された媒体が耐え得る印刷速度を示す媒体情報を出力する媒体情報出力手段とを有することを特徴とする画像形成装置。
【請求項３】
操作者又は上位装置からの要求に応じて、印刷速度の指示を行う印刷速度指示手段と、媒体の搬送不良の発生率を算出するＪＡＭ発生率算出手段と、予め定めた閾値以上の発生率が、前記ＪＡＭ発生率算出手段によって算出された場合には、前記印刷速度指示手段によって指示された印刷速度を、それよりも低速の印刷速度の指示に変更する低速変更手段と、指示された印刷速度の制御を行う印刷速度制御手段とを有することを特徴とする画像形成装置。
【請求項４】
両面印刷方式又は片面印刷方式のいずれかの指示を行う印刷方式指示手段と、媒体の搬送不良の発生率を算出するＪＡＭ発生率算出手段と、予め定めた閾値以上の発生率が当該ＪＡＭ発生率算出手段によって算出された場合には、前記印刷方式指示手段による両面印刷方式の指示を片面印刷方式の指示に変更する片面印刷変更手段と、片面印刷方式又は両面印刷方式の制御を行う印刷方式制御手段とを有することを特徴とする画像形成装置。
【請求項５】
操作者又は上位装置からの要求に応じて、印刷速度の指示を行う印刷速度指示手段と、媒体が収容される媒体収容部の取着又は脱着を検出する媒体収容部着脱検出手段と、前記媒体収容部の着脱が検出された場合には、検出されてから暫くの間は、前記印刷速度指示手段による印刷速度の指示を、より低速の印刷速度の指示に変更する暫時低速変更手段と、指示された印刷速度の制御を行う印刷速度制御手段とを有することを特徴とする画像形成装置。
【請求項６】
両面印刷方式又は片面印刷方式のいずれかの指示を行う印刷方式指示手段と、媒体が収容される媒体収容部の取着又は脱着を検出する媒体収容部着脱検出手段と、前記媒体収容部の着脱が検出された場合には、検出されてから暫くの間は、前記印刷方式指示手段による両面印刷方式の指示を片面印刷方式の指示に変更する暫時片面印刷変更手段と、両面印刷方式又は片面印刷方式の制御を行う印刷方式制御手段とを有することを特徴とする画像形成装置。
【発明の詳細な説明】
【技術分野】
【０００１】
本発明は、カット紙等の媒体を用いるプリンタ装置等の画像形成装置であって、特に、両面印刷が可能な、又は、印刷速度の変更が可能な機構を有する画像形成装置に関する。
【背景技術】
【０００２】
従来例に係るプリンタ装置は、カット紙を使用するプリンタ装置で、両面印刷機構を備えた装置であり、環境等の配慮から、オフィス等で片面しか使用されていないオフィス用紙をプリンタ用紙として再度使用する例も増えてきている（以降、この片面しか使用されていないオフィス用紙を「裏紙」と呼ぶ）。両面印刷機構をもった装置で、これらの裏紙を印刷しようとする場合には、当然片面しか印刷できないため、両面印刷機構を使用しない状態で印刷を行う必要があるため、用紙カセット自体に識別機構をもつ従来例があった。
【０００３】
このような従来例に係るプリンタ装置として、図３５に示すように、両面印刷方式又は片面印刷方式のいずれかの指示を行う印刷方式指示手段９１と、前記識別機構に基づいて用紙カセットに収容されている用紙が両面印刷用の用紙か否かを識別するカセット・センサ９３と、用紙カセットに収容されている用紙が両面印刷用の用紙と識別された場合には、両面印刷の指示を片面印刷の指示に変更する片面印刷変更手段９２と、両面印刷が可能な印刷方式制御手段９４とを有するものがあった。
【発明の開示】
【発明が解決しようとする課題】
【０００４】
さて、従来例に係るプリンタ装置にあっては、以上説明したように、前記印刷方式指示手段９１によって両面印刷を指示することによって、主として、特別な識別機構を持たない用紙カセットの場合、ホストからのコマンドで指示するか、若しくはオペレーションパネル等から指示し、カセットセンサ９３の識別結果に基づいて、前記片面印刷変更手段９２が両面印刷に耐えられないと判断した場合には、印刷方式制御手段９４に対し片面印刷の指示を行うようにしている。しかし、単に両面印刷に代えて片面印刷を行うだけでは、両面印刷に耐えられない裏紙等は、一度印刷処理を経ているため、用紙に僅かなカール、皺等が発生しており、新品のオフィス用紙と比較して用紙ジャムが発生しやすいという問題点を有している。また、用紙カセットに特別の識別機構をもたない場合には、一々ホストからのコマンドによって、又は操作者によりオペレーションパネル等から両面印刷か否かを指示する場合には指示が煩雑になるという問題点を有している。
【０００５】
そこで、本発明は、両面印刷や高速印刷に耐えられない品質か否かを識別又は設定することによって、搬送不良等の印刷の無駄の少ない信頼性のある、印刷品質の高い画像形成装置を提供することを目的としてなされたものである。
【課題を解決するための手段】
【０００６】
以上の技術的課題を解決するため、第一の発明は、図１に示すように、操作者又は上位装置からの要求に応じて、印刷速度の指示を行う印刷速度指示手段１１と、取り着けられ又は設けられた１若しくは２以上の媒体収容部に収容された媒体がどの程度の印刷速度に耐え得る品質であるかを示す媒体情報を出力する媒体情報出力手段１３と、印刷速度指示手段１１によって指示された印刷速度を、前記媒体情報出力手段１３から出力された媒体情報に基づいて前記媒体が耐え得る印刷速度に変更する印刷速度変更手段１２と、前記印刷速度変更手段１２によって指示された印刷速度の制御を行う印刷速度制御手段１４とを有するものである。
【０００７】
ここで、「どの程度の印刷速度に耐え得る品質」とは、例えば、裏紙等の一度使用された紙は、用紙に僅かなカールや皺等が発生しているため、通常のオフィス用紙に比較して用紙ジャムが発生しやすく、耐え得る印刷速度は遅くなる。同様に、厚手の紙も撓みにくく、搬送不良が生じやすく耐え得る印刷速度は遅くなる。「媒体情報」を得るには、例えば、画像形成装置に取り着けられ若しくは設けられた１若しくは２以上の媒体収容部に設けられた識別機構若しくは収容された媒体に基づいて、当該媒体がどの程度の印刷速度に耐え得る品質であるかを識別することによって、又は、操作者若しくは上位装置によって設定することによって行われる。また、「収容された媒体に基づいて」媒体情報を得る場合には、例えば、媒体の裏面が印刷されているか否かを光学的に、裏面に照射した光の反射率等を識別することによって裏紙であるかを検出して品質が識別される場合である。「取り着けられ」とは、当該画像形成装置に媒体収容部が着脱可能に取り着けられていることを意味し、「設けられ」とは画像形成装置に媒体収容部が固定して設けられている場合を示す。
【０００８】
第二の発明は、図２に示すように、操作者に公開された公開コマンドを用いて、両面印刷方式又は片面印刷方式のいずれを採用するかの指示を行う公開コマンド指示手段２０と、取り着けられ若しくは設けられた１若しくは２以上の媒体収容部毎に、収容された媒体に両面印刷方式を適用するか又は片面印刷方式を適用するかを、操作者に非公開の非公開コマンドを用いて設定する非公開コマンド設定手段２１と、前記公開コマンド指示手段２０の指示内容に拘わらず、前記非公開コマンド設定手段２１の設定内容に基づいて両面印刷方式又は片面印刷方式を指示する非公開コマンド優先印刷方式指示手段２２と、両面印刷方式又は片面印刷方式の制御を行う印刷方式制御手段２６とを有するものである。ここで、「非公開コマンド」には、例えば、ＯＳ上のプリンタドライバによる環境設定画面を開くことによって設定を行う場合に用いられるコマンドがある。
【０００９】
第三の発明は、図３に示すように、操作者に公開された公開コマンドを用いて、印刷速度の指示を行う公開コマンド指示手段２３と、取り着けられ若しくは設けられた１若しくは２以上の媒体収容部毎に、収容された媒体がどの程度の印刷速度に耐え得るかを、操作者に非公開の非公開コマンドを用いて設定する非公開コマンド設定手段２４と、前記公開コマンド指示手段２３の指示内容に拘わらず、前記非公開コマンド設定手段２４の設定内容に基づいて定まる印刷速度を指示する非公開コマンド優先印刷速度指示手段２５と、指示された印刷速度の制御を行う印刷速度制御手段１４とを有するものである。
【００１０】
第四の発明は、図４に示すように、操作者又は上位装置からの要求に応じて、印刷速度の指示を行う印刷速度指示手段１１と、指示された印刷速度の制御を行う印刷速度制御手段１４と、取り着けられ又は設けられた２以上の各媒体収容部に収容された媒体がどの程度の印刷速度に耐え得る品質であるかを示す媒体情報を出力する媒体情報出力手段１５と、前記媒体情報出力手段１５から出力された媒体情報に基づいて、前記印刷速度指示手段１１によって指示された印刷速度に耐え得る媒体を給紙先として選択する給紙先選択手段２８とを有するものである。
【００１１】
第五の発明は、図５に示すように、操作者又は上位装置からの要求に応じて、両面印刷方式又は片面印刷方式のいずれかを指示、及び、印刷速度の指示を行う印刷方式・速度指示手段１６と、指示に応じて両面印刷方式又は片面印刷方式の制御を行う印刷方式制御手段２６と、指示された印刷速度の制御を行う印刷速度制御手段１４と、前記印刷方式・速度指示手段１６によって両面印刷方式が指示された場合には、前記印刷速度制御手段１４に対して、前記印刷方式・速度指示手段１６によって指示された印刷速度よりもより低速の印刷速度を指示する低速印刷指示手段３０とを有するものである。ここで、「それよりも低速の印刷速度」とは、例えば、高速と低速の２種類の印刷速度しかない場合には、高速の印刷速度の指示があったときのみ低速の印刷速度に変更され、低速の印刷速度の指示があっても、変更はされない。
【００１２】
第六の発明は、図６に示すように、両面印刷方式又は片面印刷方式のいずれかを指示する印刷方式指示手段２９と、指示に応じて両面印刷方式又は片面印刷方式の制御を行う印刷方式制御手段２６と、取り着けられ又は設けられた２以上の媒体収容部に収容された媒体がどの程度の印刷速度に耐え得る品質であるかを示す媒体情報を出力する媒体情報出力手段１５と、前記印刷方式指示手段２９によって両面印刷方式が指示された場合には、前記媒体情報出力手段１５によって出力された媒体情報に基づいて、高速印刷が可能な品質の媒体を給紙先に選択する給紙先選択手段３１とを有するものである。
【００１３】
第七の発明は、図７に示すように、両面印刷方式又は片面印刷方式のいずれかを指示する印刷方式指示手段２９と、取り着けられ又は設けられた１若しくは２以上の媒体収容部に収容された媒体がどの程度の印刷速度に耐え得る品質であるかを示す媒体情報を出力する媒体情報出力手段１３と、印刷方式指示手段２９によって両面印刷方式が指示され、印刷しようとする媒体が低速印刷にしか耐え得ない品質であることを示す媒体情報が前記媒体情報出力手段１３から出力された場合には、両面印刷方式の指示を片面印刷方式の指示に変更して印刷方式制御手段２６に指示する片面印刷変更手段３２と、両面印刷方式又は片面印刷方式の制御を行う印刷方式制御手段２６とを有するものである。
【００１４】
第八の発明は、図８に示すように、両面印刷方式又は片面印刷方式のいずれかを指示する印刷方式指示手段２９と、両面印刷方式又は片面印刷方式の制御を行う印刷方式制御手段２６と、取り着けられ又は設けられた１若しくは２以上の媒体収容部に収容された媒体がどの程度の印刷速度に耐え得る品質であるかを示す媒体情報を出力する媒体情報出力手段１３と、前記印刷方式指示手段２９によって両面印刷方式が指示され、印刷しようとする媒体が低速印刷にしか耐え得ない品質であることを示す媒体情報が前記媒体情報出力手段１３から出力された場合には、警報手段３４に対して警報発生の指示を行う警報指示手段３３と、操作者等に対して視覚的又は聴覚的に警報を発する警報手段３４とを有するものである。
【００１５】
第九の発明は、図９に示すように、操作者の所定の操作に応じて、予め定められた順序で各種モードに応じた設定内容が順次切り換えられ、当該操作を繰り返すことによって順次各種モードの設定が行われる各種モード順次設定手段３９と、前記各種モード順次設定手段３９の各種モードに応じた設定の内容の切換えに同期して、当該設定内容に関連する事項を順次表示する表示手段３６と、媒体が収容される媒体収容部の取着又は脱着を検出する媒体収容部着脱検出手段３８と、前記媒体収容部の着脱が検出された場合には、前記設定内容及び表示内容を、両面印刷方式又は片面印刷方式のいずれかの設定を行う段階に切り換える印刷方式設定段階切換手段３７と、前記各種モード順次設定手段３９を用いて設定された、取り付けられた１若しくは２以上の前記媒体収容部に収容された媒体に適用される印刷方式を示す媒体情報を出力する媒体情報出力手段４６とを有するものである。ここで、「各種モード順次設定手段３９」によって各種モードの設定を行うようにしているのは、各種モードの設定操作を行うに際し、各種モード毎に専用のスイッチを設けるのではなく、必要最小限の少数のスイッチを各種モードの設定に共用させて、スイッチ数よりも十分に多い多数種の各種モードの設定を可能とするためである。
【００１６】
第十の発明は、図１０に示すように、操作者の所定の操作に応じて、予め定められた順序で各種モードに応じた設定内容が順次切り換えられ、当該操作を繰り返すことによって順次各種モードの設定が行われる各種モード順次設定手段３９と、前記各種モード順次設定手段３９の各種モードに応じた設定の内容の切換えに同期して、当該設定内容に関連する事項を順次表示する表示手段３６と、媒体が収容される媒体収容部の取着又は脱着を検出する媒体収容部着脱検出手段３８と、前記媒体収容部の着脱が検出された場合には、前記設定内容及び表示内容を、媒体が耐え得る印刷速度の設定を行う段階に切り換える印刷速度設定段階切換手段３５と、前記各種モード順次設定手段３９を用いて設定された、取り付けられた１若しくは２以上の前記媒体収容部に収容された媒体が耐え得る印刷速度を示す媒体情報を出力する媒体情報出力手段４８とを有するものである。
【００１７】
第十一の発明は、図１１に示すように、操作者又は上位装置からの要求に応じて、印刷速度の指示を行う印刷速度指示手段１１と、媒体の搬送不良の発生率を算出するＪＡＭ発生率算出手段４２と、予め定めた閾値以上の発生率が、前記ＪＡＭ発生率算出手段４２によって算出された場合には、前記印刷速度指示手段１１によって指示された印刷速度を、それよりも低速の印刷速度の指示に変更する低速変更手段４１と、指示された印刷速度の制御を行う印刷速度制御手段１４とを有するものである。
【００１８】
第十二の発明は、図１２に示すように、両面印刷方式又は片面印刷方式のいずれかの指示を行う印刷方式指示手段２９と、媒体の搬送不良の発生率を算出するＪＡＭ発生率算出手段４２と、予め定めた閾値以上の発生率が当該ＪＡＭ発生率算出手段４２によって算出された場合には、前記印刷方式指示手段２９による両面印刷方式の指示を片面印刷方式の指示に変更する片面印刷変更手段４３と、片面印刷方式又は両面印刷方式の制御を行う印刷方式制御手段２６とを有するものである。
【００１９】
第十三の発明は、図１３に示すように、操作者又は上位装置からの要求に応じて、印刷速度の指示を行う印刷速度指示手段１１と、媒体が収容される媒体収容部の取着又は脱着を検出する媒体収容部着脱検出手段３８と、前記媒体収容部の着脱が検出された場合には、検出されてから暫くの間は、前記印刷速度指示手段１１による印刷速度の指示を、より低速の印刷速度の指示に変更する暫時低速変更手段４４と、指示された印刷速度の制御を行う印刷速度制御手段１４とを有するものである。
【００２０】
第十四の発明は、図１４に示すように、両面印刷方式又は片面印刷方式のいずれかの指示を行う印刷方式指示手段２９と、媒体が収容される媒体収容部の取着又は脱着を検出する媒体収容部着脱検出手段３８と、前記媒体収容部の着脱が検出された場合には、検出されてから暫くの間は、前記印刷方式指示手段２９による両面印刷方式の指示を片面印刷方式の指示に変更する暫時片面印刷変更手段４５と、両面印刷方式又は片面印刷方式の制御を行う印刷方式制御手段２６とを有するものである。
【００２１】
（作用）
第一の発明の動作について説明する。操作者又は上位装置からの要求に応じて前記印刷速度指示手段１１は印刷速度を指示する。すると、印刷速度変更手段１２は、媒体情報出力手段１３から出力された媒体情報に基づいて、印刷しようとする媒体が耐え得ない印刷速度が指示された場合には、耐え得る印刷速度に変更して、印刷速度制御手段１４に指示する。また、逆に、印刷しようとする媒体が耐え得る印刷速度の限界にまで変更して高速に印刷を行うことができる。これによって、印刷媒体の品質に応じた最適な印刷速度を確実に、効率良く実現することができる。また、本発明によれば、互いに相反する関係にある印刷速度と印刷品質、又は印刷速度とプロセスユニットの寿命を考慮すれば、印刷品質の向上を図るとともに、装置寿命を長く保つことが可能である。
【００２２】
第二の発明の動作について説明する。前記公開コマンド指示手段２０によって印刷方式を含めた印刷の指示が、公開コマンドを用いてされる。その際、又は予め、非公開コマンド設定手段２１によって印刷方式が設定されている場合には、前記非コマンド前記非公開コマンド優先印刷方式指示手段２２は、非公開コマンド設定手段２１によって設定されている印刷方式に基づいて両面印刷方式又は片面印刷方式を指示する。したがって、印刷しようとする媒体に設定されている印刷方式の適用が優先されるので、無駄な印刷を防止して効率良く印刷を行うことができる。
【００２３】
第三の発明の動作について説明する。本発明では、公開コマンド指示手段２３によって指示された印刷速度に拘わらず、非公開コマンド設定手段２４によって印刷速度が設定されている場合には、非公開コマンド優先印刷速度指示手段２５は、非公開コマンド設定手段２４によって設定された印刷速度に基づいて印刷速度を指示する。したがって、印刷しようとする媒体に設定されている印刷速度の適用が優先されるので、搬送不良や印刷不良を未然に確実に防止することができる。
【００２４】
第四の発明の動作について説明する。本発明では、操作者又は上位装置の要求に応じて、前記印刷速度指示手段１１が印刷速度を指示する。その際に、前記給紙先選択手段２８は、媒体情報出力手段１５から出力された媒体情報に基づいて、指示された印刷速度に耐え得る品質に相当する媒体を給紙先として選択して、印刷が行われる。したがって、搬送不良（ＪＡＭ）や印刷不良を未然に確実に防止することができる。
【００２５】
第五の発明は、図５に示すように、印刷方式・速度指示手段１６による印刷方式及び印刷速度の指示がある。すると、その印刷方式が片面印刷方式の場合には、前記印刷方式制御手段２６はその片面印刷方式の制御を行い、前記低速印刷指示手段３０は、印刷速度制御手段１４に対し、指示された通りの印刷速度を指示する。一方、前記印刷方式・速度指示手段２９による印刷方式の指示が両面印刷方式の場合には、前記低速印刷指示手段３０は指示された印刷速度の如何によらず低速の印刷速度を前記印刷速度制御手段１４に対して指示する。
【００２６】
第六の発明は、前記印刷方式指示手段２９によって両面印刷が指示された場合には、前記給紙先選択手段３１は、前記媒体品質出力手段１５から出力された媒体品質に基づいて、高速の搬送が可能な品質の媒体を給紙先に選択する。これによって、搬送不良や印刷不良が生じやすい両面印刷を、確実に、効率良く行うことができる。
【００２７】
第七の発明は、前記印刷方式指示手段２９が両面印刷を指示する。すると、片面印刷変更手段３２は、印刷しようとする媒体について媒体情報出力手段１３から出力された媒体情報に基づいて、当該媒体がどの程度の印刷速度に耐え得る品質であるかを判断し、印刷しようとする媒体が低速印刷にしか耐え得ない品質である場合には、前記印刷方式指示手段２９による両面印刷の指示を片面印刷の指示に変更する。これによって、無駄な印刷を防止し、確実に効率良く印刷を行うことができる。
【００２８】
第八の発明では、前記印刷方式指示手段２９が両面印刷方式を指示する。すると、前記警報指示手段３３は、前記媒体情報出力手段１３から出力された媒体情報に基づいて、印刷しようとする媒体が高速な印刷速度に耐え得る品質であるか否かを判断し、高速な印刷に耐え得ない媒体の場合には、前記警報手段３４に警報発生を指示する。これによって、操作者は未然に印刷不良や搬送不良の発生を防止し、確実に、効率良く印刷を行うことができる。
【００２９】
第九の発明では、通常、前記両面印刷方式を設定する場合には、操作者は、各種モード順次設定手段３９を用いて、重要度の高いモードから、順次何回もの操作を繰り返すことによって、設定内容を切り換えて、両面印刷モードの操作段階にまでたどり着き両面印刷方式の設定操作を行うことになる。しかし、前記媒体収容部着脱検出手段３８によって、媒体収容部の着脱が検出された場合には、着脱のあった媒体収容部は、媒体収容部への媒体の補給や、媒体収容部の交換等が行われるので、当該媒体収容部に収容された媒体に対し、新たに、両面印刷が可能か否かの設定を行う必要がある。従って、前記媒体収容部着脱検出手段３８によって媒体収容部の着脱が検出された場合には、前記印刷方式設定段階切換手段３７は、両面印刷方式か片面印刷方式の設定を直ちに行える段階に前記各種モード順次設定手段３９を切り換える。これによって、媒体情報の設定を容易に、効率良く、且つ確実に行うことができる。
【００３０】
第十の発明では、前記媒体収容部着脱検出手段３８によって媒体収容部の着脱を検出した場合には、前記印刷速度設定段階切換手段３５は、前記各種モード順次設定手段３９に対して印刷速度の設定段階へ切り換える。これは、第九の発明と同様に、媒体収容部の着脱があった場合には、新たに供給された媒体について、どの程度の印刷速度に耐え得るかの媒体情報を設定する必要があるのが普通だからである。これによって、媒体情報の設定を容易に、効率良く、且つ確実に行うことができる。
【００３１】
第十一の発明では、前記印刷速度指示手段１４によって、高速搬送の指示がされる。低速変更手段４１は前記ＪＡＭ発生率算出手段４２によって算出された媒体の搬送不良の発生率であるＪＡＭ発生率が、予め定めた閾値以上であるか否かを判断する。当該ＪＡＭ発生率が予め定めた閾値以上であると判断された場合には、低速変更手段４１は、前記印刷速度指示手段１４による高速の指示を低速の指示に変更して印刷速度制御手段１４に指示する。これによって、搬送不良や印刷不良の発生を未然に防止することができる。
【００３２】
第十二の発明では、前記印刷方式指示手段２９によって両面印刷方式の指示があると、前記片面印刷変更手段４３は、前記ＪＡＭ発生率算出手段４２が算出したＪＡＭ発生率が予め定めた一定の閾値以上であるか否かを判断する。当該ＪＡＭ発生率が予め定めた一定の閾値以上であると判断された場合には、当該両面印刷変更手段４３は、前記印刷方式指示手段２９によって指示された両面印刷の指示を片面印刷に変更する。これによって、搬送不良や印刷不良の発生を抑制することができる。
【００３３】
第十三の発明では、印刷速度指示手段１４によって、高速の印刷速度の指示があると、前記暫時低速変更手段４４が、前記媒体収容部着脱検出手段３８によって、前記媒体収容部の着脱の検出があると判断すると、前記印刷速度指示手段１４による高速の搬送指示を暫時低速の搬送指示に変更する。これによって、初期の段階、例えば、最初の数枚の印刷で発生しやすい媒体の搬送不良を防止することができる。
【００３４】
第十四の発明では、前記印刷方式指示手段２９によって、両面印刷方式の指示があり、前記暫時片面印刷変更手段４５は、前記媒体収容部着脱検出手段３８によって、媒体収容部の着脱が検出されたか否かを判断する。媒体収容部の着脱が検出されたと判断された場合には、前記印刷方式指示手段２９によって指示された両面印刷指示を暫時片面印刷方式に変更する。これによって、媒体収容部の着脱が行われた初期の段階、例えば、最初の数枚の印刷で発生しやすい媒体の搬送不良を防止することができる。
【発明の効果】
【００３５】
以上説明したように、第一の発明では、印刷速度を可変とし、媒体の品質に応じて、印刷速度を選択するようにしている。したがって、各媒体が耐え得る印刷速度を越えないような印刷速度を指示することによって、印刷不良や搬送不良を防止し、印刷不良等が発生した場合の操作者の負担を軽減し、無駄な印刷を防止し、効率良く印刷を行うことができる。また、過度に印刷速度を高めることがないので、印刷品質を落とすことなく、装置寿命を長く保つことができる。
【００３６】
第二の発明では、両面印刷が可能な装置で、公開コマンドによる印刷方式の指示と非公開コマンドによる各媒体に対する両面印刷可能の有無の設定が可能であり、且つ、公開コマンドの指示よりも非公開コマンドの設定を優先させている。したがって、片面しか使用できない媒体と、両面印刷が可能な媒体とを、確実に使い分けることができるので、印刷の無駄を未然に防止し、効率良く印刷を行うことができる。
【００３７】
第三の発明では、印刷速度が可変の装置で、公開コマンドによる印刷速度の指示と、非公開コマンドによる各媒体に対するどの程度の印刷速度に耐え得るかを示す媒体情報の設定が可能であり、且つ公開コマンドよりも非公開コマンドの設定を優先させている。したがって、第一の発明と同様の効果を奏する。
【００３８】
第四の発明では、印刷速度が可変の装置で、指示された印刷速度に応じて、媒体情報出力手段から出力される媒体情報に基づいて、最適な媒体の給紙を選択するようにしている。したがって、上位装置又は操作者の指示を尊重して、それに最適な媒体を確実に供給するので、希望する速度で高速に印刷を行うことが可能であるとともに、搬送不良（ＪＡＭ）や印刷不良等を確実に防止して、当該搬送不良等が発生した場合の操作者の負担を軽減し、効率のよい印刷を行うことができる。
【００３９】
第五の発明では、両面印刷が可能で且つ印刷速度が可変の装置で、指示された印刷方式に応じて、前記両面印刷の指示があった場合には、速度を低速にするように指示している。したがって、比較的搬送不良が発生しやすい両面印刷の際には、やはり、比較的搬送不良が発生しやすい高速の印刷速度ではなく、低速の印刷速度を指示することによって、搬送不良や印刷不良を確実に防止し、効率良く印刷を行うことができる。
【００４０】
第六の発明では、両面印刷方式が可能で且つ印刷速度が可変の装置で、両面印刷方式の指示があった場合には、高速の搬送が可能な品質の媒体を給紙先として選択するようにしている。したがって、比較的搬送不良や印刷不良が発生しやすい両面印刷の場合でも、その発生を未然に防止し、効率の良い、信頼性良く、確実に両面印刷を行うことができる。
【００４１】
第七の発明では、両面印刷が可能な装置で、両面印刷が指示され、媒体情報出力手段によって、印刷しようとする媒体が低速印刷にしか耐え得ない品質である旨が出力された場合には、両面印刷の指示を片面印刷の指示に変更するようにしている。したがって、比較的搬送不良が発生しやすい両面印刷の指示を搬送不良の発生しやすい媒体に適用しないので、搬送不良や印刷不良を確実に防止して、効率良く印刷を行うことができる。
【００４２】
第八の発明では、両面印刷が可能な装置で、両面印刷が指示された場合であって、前記媒体情報出力手段によって、高速な印刷速度に耐え得る品質でない旨が出力された場合には、警報手段が警報を発するようにしている。したがって、搬送不良や印刷不良の発生を未然に知らせ、印刷を無駄に行うことなく、効率良く、且つ確実に印刷を行うことが可能である。
【００４３】
第九の発明では、操作者の所定の操作に応じて、予め定められた順序で各種モードに応じた設定内容が順次切り換えられ、当該操作を繰り返すことによって順次各種モードの設定が行われる各種モード順次設定手段に対し、媒体収容部の着脱が検出された場合には、前記設定内容及び表示内容を、両面印刷方式又は片面印刷方式を含む印刷方式の設定を行う段階に切り換えるようにしている。したがって、両面印刷方式又は片面印刷方式のいずれかを前記各種モード順次設定手段を用いて順次設定を行う場合に比較して、早期に、簡単、且つ容易に切り換えることができて、操作のしやすい画像形成装置を提供することができる。
【００４４】
第十の発明では、操作者の所定の操作に応じて、予め定められた順序で各種モードに応じた設定内容が順次切り換えられ、当該操作を繰り返すことによって順次各種モードの設定が行われる各種モード順次設定手段に対し、媒体収容部の着脱が検出された場合には、前記設定内容及び表示内容を、媒体がどの程度の印刷速度に耐え得る品質の設定を行う段階に切り換える。したがって、印刷速度を前記各種モード順次設定手段を用いて順次設定を行う場合に比較して、早期に、簡単且つ容易に切り換えることができて、操作のしやすい画像形成装置を提供することができる。
【００４５】
第十一の発明では、予め定めた閾値以上のＪＡＭ発生率が算出された場合には、前記印刷速度指示手段による高速搬送の指示を低速搬送の指示に変更するようにしている。したがって、搬送不良や印刷不良が発生しやすい状況を察知した場合には、高速の印刷速度の指示を低速の印刷速度の指示に変更して、搬送不良や印刷不良の発生を未然に防止するので、第一の発明と同様の効果を奏する。
【００４６】
第十二の発明では、両面印刷が可能な装置で、両面印刷の指示があった場合であって、前記ＪＡＭ発生率が予め定めた閾値以上であった場合には、当該両面印刷の指示を片面印刷の指示に変更するようにしている。したがって、比較的搬送不良が発生しやすい両面印刷の指示を搬送不良の発生しやすい媒体に適用しないので、搬送不良や印刷不良を確実に防止して、効率良く印刷を行うことができる。
【００４７】
第十三の発明では、印刷速度の変更可能な装置で、前記媒体収容部の着脱が検出された場合には、その着脱の検出時から暫くの間は、前記印刷速度指示手段による高速搬送の指示に拘わらず、低速搬送に変更するようにしている。したがって、媒体収容部の着脱があった後に暫くの間発生しやすい搬送不良や印刷不良を、低速搬送を行うことによって、未然に防止することができて、しかも、低速搬送への変更は必要最小限度に止めているので、上位装置又は操作者の指示を尊重しつつ、印刷不要や搬送不良を確実に防止し、当該印刷不良等が発生した場合の操作者の負担を軽減し、無駄のない効率の良い印刷を行うことができる。
【００４８】
第十四の発明では、両面印刷が可能な装置で、前記媒体収容部の着脱が検出された場合には、前記両面印刷モードによる指示に拘わらず、その着脱の検出時から暫くの間は、低速搬送に変更するようにしている。したがって、媒体収容部の着脱があった後に暫くの間発生しやすい搬送不良や印刷不良を、低速搬送を行うことによって、未然に防止することができて、しかも、片面印刷への変更は必要最小限度に止めているので、上位装置又は操作者の指示を尊重しつつ、印刷不要や搬送不良を確実に防止し、当該印刷不良等が発生した場合の操作者の負担を軽減し、無駄のない効率の良い印刷を行うことができる。
【発明を実施するための最良の形態】
【００４９】
本発明の実施例について図１５〜図３４に基づいて説明する。図１５には、本実施例に係る電子写真式プリンタ装置を示す図である。同図（ａ）及び（ｂ）に示すように、プリンタ装置に着脱可能に取り着けられ、媒体である用紙６が収容された媒体収容部である識別機構付用紙カセット１と、操作者により種々の操作を行う操作部５５及び操作者への表示が行われる表示部５４からなるオペレータパネル２と、印刷が終了して排紙された用紙を蓄える排紙トレイ３とを有する。また、図１５（ｂ）には、露光されて潜像が形成される感光ドラム４と、印刷データに応じて感光ドラム４の外周面に光を照射して潜像を形成させる光学ユニットである露光部５と、潜像が形成された感光ドラム４上にトナーを付着させることによって潜像を現像化する現像ユニット８と、感光ドラム４上に形成されたトナー像を前記用紙上に転写させる転写ローラ４８と、搬送ローラ９及び排紙ローラ１０からなる速度可変搬送機構７４と、搬送中の用紙４７上に転写されたトナー像を用紙に熱定着させる定着部４９と、用紙カセット１から用紙を前記速度可変搬送機構７４に供給する前記給紙機構７５であるピックアップローラ７とを有する。
【００５０】
図１６には、本実施例に係るプリンタ装置の制御系の全体ブロック図を示す。同図に示すように、当該プリンタ装置は、ＣＰＵ及びメモリからなり当該プリンタ装置に関する種々の制御を行うメイン制御部５０と、当該プリンタ装置の主として機構的な制御を行うＣＰＵ及びメモリからなるメカ制御部５１と、印刷速度の変更が可能で、両面印刷及び片面印刷が可能な種々の機構を有する両面可能・速度可変機構部５２と、オペレータパネル２に設けられた前記操作部５５及び前記表示部５４と、当該プリンタ装置とホスト５３との間の接続の制御を行うインタフェース６０と、前記搬送路中に設けられ、用紙４７の搬送の有無を検出する用紙センサ５８と、前記識別機構付用紙カセット１の着脱を検出する着脱センサ５９と、前記識別機構付用紙カセット１とを有する。
【００５１】
また、メイン制御部５０には、前記印刷方式指示部、印刷速度指示部又は印刷方式・速度指示部に相当し、ホスト５３から受信されたデータの解析を行う解析部６２と、第一の実施例に係る印刷速度変更部６３と、第二及び第四の実施例に係る用紙品質情報格納部６４と、第四の実施例に係る印刷速度切換部６５と、第三の実施例に係るＢ群優先印刷方式指示部６６と、片面印刷変更部６７と、低速印刷指示部６８と、ＪＡＭ発生率算出部６９と、低速変更部５６と、暫時低速変更部７７と、を有する。
【００５２】
さらに、前記メカ制御部５１は指示された印刷速度を達成する制御を行う印刷速度制御部７０と、両面印刷方式又は片面印刷方式の制御を行う印刷方式制御部７１と、給紙先選択指示部７３とを有する。また、前記両面可能・速度可変機構部５２は、同図に示すように、前記搬送機構７４と、前記給紙機構７５と、前記感光ドラム４及び現像ユニット８等からなり潜像を可視像化するプロセス機構７６と、前記定着部４９と、感光ドラム上に露光を行う露光部５とを有する。さらに、前記操作部５５は、同図に示すように、各種モード順次設定部７９と、コマンドＡ群指示部８０と、コマンドＢ群設定部８１とを有する。
【００５３】
続いて、第一の実施例について、図１７〜図２２に基づいて説明する。図１７に示すように、本実施例に係るプリンタ装置では、上位装置であるホスト５３からのコマンドに応じて、コマンドの内容を解析して、両面印刷方式（モード）又は片面印刷方式のいずれかの印刷方式又は印刷速度の指示を行う解析部６２と、当該解析部６２によって指示された印刷方式が片面印刷方式の場合であって、解析部６２からの指示が高速印刷の場合には、カセット・センサ５７によって識別された品質に耐え得る印刷速度に切り換えて前記印刷速度制御部７０を介して両面可能・速度機構部５２に指示する印刷速度切換部６５と、前記解析部６２によって両面印刷方式が指示され、印刷しようとする用紙が低速印刷にしか耐え得ない品質であることが前記カセット・センサ５７によって識別された場合には、両面印刷方式の指示を片面印刷方式の指示に変更する片面印刷変更部６７とを前記メイン制御部５０に有する。また、メカ制御部５１には、前記印刷速度切換部６５からの指示を受けて前記両面可能・速度可変機構部５２に対し、該当する印刷速度の指示を行う印刷速度制御部７０と、前記片面印刷変更部６７の指示を受けて印刷方式の制御を行う印刷方式制御部７１とを有する。さらに、収容されている用紙の品質を示す識別機構が設けられた識別機構付用紙カセット１と、１つの識別機構付用紙カセット１に設けられた識別機構に基づいて、当該用紙カセット１に収容されている用紙がどの程度の印刷速度に耐え得る品質であるかを識別するカセット・センサ５７とを有する。
【００５４】
図１８には、第一の実施例に係る用紙の品質を示す説明図である。同図（ａ）には、新品のオフィス用紙を示し、両面印刷及び高速の搬送に耐え得る高品質のものであり、同図（ｂ）には、裏紙を示し、片面印刷のみに使用され、また、わずかに存在する用紙のカール等やしわによって高速の搬送に耐えることができない低品質のものである。
【００５５】
図１９には、第一の実施例に係る識別機構付用紙カセット１の部分拡大図を示す。同図に示すように、識別機構８２は、識別機構付用紙カセット１の一方の側面の先端部近傍位置に設けられた、前後方向にスライド可能な３本の側面に多少突き出ているスライド・スイッチ８２ａ，８２ｂ，８２ｃからなる。当該スライド・スイッチ８２ａ，８２ｂ，８２ｃを定位置より前後方向に所定距離だけスライドさせることによって、当該識別機構付用紙カセット１に収容されている媒体である用紙の品質を示す。
【００５６】
さらに、図２０には、前記カセット・センサ５７を示す。同図に示すように、本実施例に係るカセット・センサ５７は、プリンタ装置に取り着けられた前記識別機構付用紙カセット１のうち、前記識別機構８２の３本のスライド・スイッチ８２ａ，８２ｂ，８２ｃと各々接触可能な位置に取り付けられた３個のマイクロ・スイッチ８３ａ，８３ｂ，８３ｃである。当該マイクロ・スイッチ８３ａ，８３ｂ，８３ｃは、導線を介して前記メイン制御部５０に各々接続されている。前記マイクロ・スイッチ８３ｂは、前記識別機構８２のうち、スライドされたスライド・スイッチ８２ｂによってＯＮ状態となり、スライドされていないスライド・スイッチ８２ａ，８２ｃに対応するマイクロスイッチ８３ａ，８３ｃはＯＦＦ状態である。このＯＮ又はＯＦＦ状態によって、前記メイン制御部５０に対して、前記用紙カセット１に収容されている用紙の品質を通知する。
【００５７】
さらに、図２１には、第一の実施例に係るプリンタ装置の他の例について示す。当該例では、同図に示すように、前記識別機構付用紙カセット１及びカセット・センサ５７によって用紙の品質を識別するのではなく、用紙の裏面に光を照射する発光素子８４及び裏面から反射された光を検出する受光素子８５の組み合わによって、裏面の光の反射率から裏紙か否かを識別するものである。
【００５８】
続いて、第一の実施例に係るプリンタ装置の動作について図２２に基づいて説明する。図２２の流れ図に示すように、ステップＳ１１で、前記ホスト５３からの印刷起動の信号及び印刷データはデータ受信部に受信される。受信されたデータは前記解析部６２によって解析処理がなされ、装置の設定指示に関する情報と、実際の印刷データとが別々に処理される。ステップＳ１２で、１ページ分の印刷データの生成が完了する毎に、メイン制御部５０はホスト５３から送信されてきた設定情報をチェックし、当該解析部６２によって印刷起動か否かが判断される。印刷起動でない場合には、ステップＳ１１に戻り印刷起動を待つ。ステップＳ１２で、印刷起動であると判断された場合には、ステップＳ１３に進み、前記片面印刷変更部６７は解析部６２からのコマンドに応じて、両面印刷方式又は片面印刷方式かを判断する。
【００５９】
両面印刷方式が指示されたと判断された場合には、前記片面印刷変更部６７はステップＳ１５に進み、直ちにカセット・センサ５７の識別結果を読み込む。ステップＳ１６で、前記マイクロ・スイッチ８３ｂがＯＮ状態であると判断された場合には、前記識別機構付用紙カセット１に収容されている用紙は裏紙であって、高速印刷モードでは用紙ジャムが多発することが予想されると判断してステップＳ１７で、片面印刷方式に指示を変更する。
【００６０】
一方、ステップＳ１３で、前記両面印刷モードでないと判断された場合には、ステップＳ１４に進み、前記印刷速度切換部６５は、前記解析部６２の指示は高速印刷モードの指示か否かを判断する。高速印刷モードの場合には、ステップＳ１５に進み、ステップＳ１５〜ステップＳ１７に進み、前記印刷速度制御部７０に対して低速モードの指示を行う。一方、ステップＳ１４で、前記印刷速度切換部６５が解析部６２からの指示が高速印刷モードではなく低速印刷モードであると判断し場合、又はステップＳ１６で、前記マイクロ・スイッチ８３ａ，ｂ，ｃの状態がＯＦＦ状態であると判断された場合には、前記識別機構付用紙カセット１には、高速搬送に耐え得る又は両面印刷可能の用紙が収容されていると判断して前記片面印刷変更部６７及び印刷速度切換部６５は前記ホスト５３の指示通りにそのまま印刷を続行する指示を前記メカ制御部５１に対して行う。
【００６１】
以上示したように、第一の実施例によれば、識別機構付用紙カセット１内に収容されている用紙が裏紙の場合には、高速印刷モードでは用紙ジャムが多発するおそれがあることを予想して、低速印刷モードに切り換えて印刷起動を行うので、用紙ジャムの発生を未然に防止し、印刷の無駄の発生を防止し、操作者の負担を増やすことはない。また、ジャム等が発生するおそれがある場合には、低速印刷モードに切り換えるので装置寿命を長く保ち、紙の品質に合った最適な印刷速度で印刷を行うので印刷品質が高く、信頼性のあるプリンタ装置を提供することができる。
【００６２】
続いて、第二の実施例に係るプリンタ装置について、図２３〜図２５に基づいて説明する。図２３に示すように、本実施例に係るプリンタ装置は、操作部５５には、操作者の所定の操作に応じて、予め定められた順序で各種モードに応じた設定内容が順次切り換えられ、当該操作を繰り返すことによって順次各種モードの設定が行われる各種モード順次設定部７９を設ける。また、メイン制御部５０には、当該各種モード順次設定部７９の所定段階で設定され、プリンタ装置に取り着けられた前記用紙カセット１1 ，１2 毎に、用紙カセット１1 ，１2 に収容された用紙がどの程度の印刷速度に耐え得る品質であるかを示す用紙品質情報を格納する用紙品質情報格納部６４と、ホスト５３からのコマンドを解析する解析部６２と、解析部６２によって指示された印刷速度を、前記用紙品質情報格納部６４に格納されている品質情報に基づいて、当該品質が耐え得る印刷速度に変更して前記印刷速度制御部７０に対して指示する印刷速度変更部６３とが設けられている。さらに、メカ制御部５１には、印刷方式制御部７１と、印刷速度制御部７０とが設けられている。
【００６３】
即ち、前記印刷速度変更部６３は、前記ホスト５３から送信される高速印刷コマンドよりも、前記用紙品質情報格納部６４に前記各種モード順次設定部８４によって設定された品質情報を優先する。当該各種モード順次設定部７９は、図１６又は図２４に示すように、この例では６個のスイッチ７９ａ〜７９ｆからなる。これらのスイッチは、メニュースイッチ７９ａと、オンライン／オフライン・スイッチ７９ｂと、層間での移行を行うエンター・スイッチ７９ｃ，７９ｄと、各層に沿った移行を行う選択スイッチ７９ｅ，７９ｆとからなる。
【００６４】
続いて、本実施例の動作について図２５に基づいて説明する。図２５には、各種モード順次設定部７９を切り換えて、前記用紙品質情報を用紙カセット１1 ，１2 に対して設定する処理手順を示すものである。最初、プリンタ装置はホスト５３と接続されたオンラインの状態にあり、表示部５４には「オンライン」の旨が表示されている。ステップＳ２１で、操作者は前記各種モード順次設定部７９にあるオンライン／オフライン・スイッチ７９ｂを押下すると、当該プリンタ装置は、前記ホスト５３から切り離され、オフライン状態となり、「オフライン」の旨が前記表示部５４に表示される。
【００６５】
ステップＳ２２で、操作者は、メニュースイッチ７９ａを約6 秒間押下すると、当該各種モード順次設定部７９は、最初に用紙設定モードに切り換わり、前記表示部５４には、「ヨウシセッテイ」の旨が表示される。用紙設定モードとは、印刷が行われる用紙のサイズ、例えばＡ４等、の設定、用紙の印刷方向（縦、横）の設定等を行うものである。操作者は、現状を変更しない場合には、用紙設定を行うことなく、ステップＳ２３に進み、選択スイッチ７９ｆを押下して、このモードを通過し次のモードであるＩＦ設定モードに切り換え、前記表示部５４には、「Ｉ／Ｆセッテイ」の旨が表示される。Ｉ／Ｆモードは、複数あるホストのうちのどのホストからの指示を受け付けるかを選択するものである。
【００６６】
操作者は、現状を変更しない場合には、ステップＳ２４で、選択スイッチ７９ｆを押下して、このモードを通過し、次のモードであるカセット選択モードに移行させ、前記表示部５４に、「カセットセンタク」の旨が表示される。カセット選択モードは、複数取り付けられた用紙カセット１1 ，１2 のうちどの用紙カセット１1 ，１2 を選択するかを設定するモードである。現状を変更しない場合には、操作者はステップＳ２５で、前述したように選択スイッチ７９ｆを押下して、このモードを通過して、次のモードである両面印刷モードに移行させ、前記表示部５４に、「リョウメンインサツ」の旨を表示させる。両面印刷モードは両面印刷を行うか、片面印刷を行うかを設定するものである。この状態において、当該各種モード順次設定部７９は、選択された用紙カセット１1 ，１2 に収容されている用紙について、その用紙の品質が両面印刷が可能なのか片面印刷のみ可能なのかを設定することができる。
【００６７】
操作者は両面印刷設定モードを選択しようとする場合には、選択スイッチ７９ｆを押下して他のモードに移行することなく、当該モード中のより深い層（いわば下方向）へ移行させるために、ステップＳ２６で、エンター・スイッチ７９ｃを押下して、両面印刷設定モードの状態に入力する。すると、前記表示部５４には、現状が両面印刷の状態ではなく片面印刷の状態が設定されていることを示す「リョウメンＯＦＦ* 」の旨が表示されている。そこで、当該層内で横方向に移行させるため（即ち、両面印刷設定モードに留まったままでの移行）ステップＳ２７で、選択スイッチ７９ｆを押下する。すると、片面印刷モードから両面印刷モードに移行し、表示部５４に「リョウメンＯＮ」の旨が表示される。
【００６８】
ステップＳ２８で、操作者はエンター・スイッチ７９ｃを押下して、両面印刷モードに設定し、表示部５４には、現状が両面印刷モードであることを示す「リョウメンＯＮ* 」が表示される。両面印刷モードの設定が完了すると、ステップＳ２９で、前記オンライン／オフラインスイッチ７９ｂを押下してオンラインに戻り、ホスト５３からの印刷起動を待つ。
【００６９】
以上説明したように、第二の実施例によれば、操作者によって、オペレータパネルを操作することにより、取り着けられた各用紙カセット毎に、言い換えれば当該各用紙カセットが取り着けられている取付位置毎に、収容されている用紙に対して、両面印刷が可能か否か、言い換えれば高速の搬送に耐え得るか否かの品質を設定することができる。したがって、上位装置であるホスト５３から、高速印刷の指示があっても、設定された用紙品質情報に基づいて、その指示を無視するか、その指示に従うかの切換えを行うことによって、搬送不良を防止し、装置の寿命を長く保ち、高品質の印刷を行うことができる。
【００７０】
第三の実施例に係るプリンタ装置について、図２６及び図２７に基づいて説明する。本実施例に係るプリンタ装置は、図２６に示すように、用紙を搬送する印刷速度が変更可能で、片面印刷のみならず両面印刷を行うことができる両面可能・速度可変機構５２を有し、両面印刷方式又は片面印刷方式の制御を行う印刷方式制御部７１をメカ制御部５１に有する。また、オペレータパネル２には、表示部５３と、操作部５５が設けられ、当該操作部５５には、両面印刷又は片面印刷方式のどちらを採用するかを含め、操作者に公開されたコマンドＡ群を用いて、印刷を指示するコマンドＡ群操作部８０と、プリンタ装置に取り着けられた２つの用紙カセット１1 ，１2 に各々収容された用紙が両面印刷可能又は不可能である旨を、操作者に非公開のコマンドＢ群を用いて設定するコマンドＢ群操作部８１とが設けられている。
【００７１】
さらに、メイン制御部５０には、前記コマンドＡ群操作部８０の指示内容に拘わらず、前記コマンドＢ群操作部８１の設定内容に基づいて両面印刷又は片面印刷を指示するＢ群優先印刷方式指示部６６を有する。図２７には、本実施例に係るプリンタ装置が有する２種類のコマンドであるコマンドＡ群とコマンドＢ群を説明する。同図に示すように、コマンドＡ群は、マニュアル等にも記載されていて、ユーザに公開されている通常の両面印刷コマンドであり、コマンドＢ群は、ユーザに非公開のプリンタドライバ専用の拡張両面印刷コマンドである。これらのコマンドの両者は、ほぼ同等の機能をもっているが、前記Ｂ群優先印刷方式指示部６６は、コマンドＢ群による指示がコマンドＡ群による指示よりも優先される。同図に示すように、通常のアプリケーション・プログラム（応用プログラム）を用いる場合には、前記コマンドＡ群操作部８０によって、Ａ群のコマンドによってプリンタ装置に対して印刷方式の指示を行う。
【００７２】
一方、コマンドＢ群操作部８１の操作によって、ＯＳ上のプリンタドライバは、Ｂ群のコマンドによってプリンタに対しての指示を行う。プリンタドライバはＯＳ上でプリンタの環境設定画面を開くことができ、この設定画面の設定に基づいてＢ群による指定コマンドを発行する。「裏紙」を使用する場合には、コマンドＢ群操作部８１によって、プリンタドライバによる環境設定画面から対応する用紙カセット１1 ，１2 に対して片面印刷モードが設定される。これによって、プリンタにはＢ群のコマンドによって片面印刷モード指定コマンドが前記メイン制御部５０に発行される。前記コマンドＡ群操作部８０による指示が、両面印刷モードを指示しても、当該指示にＡ群のコマンドが用いられるため、前記Ｂ群優先印刷方式指示部６６によって、両面印刷モードには切り換わらない。
【００７３】
従って、本実施例によれば、用紙カセット１1 に両面が使用可能な通常のオフィス用紙、用紙カセット１2 に片面しか使用できない「裏紙」をそれぞれセットし、用紙カセット１1 内のオフィス用紙が無くなった場合、自動的に他方の用紙カセット１2 に切り換わる制御を行うような設定になっているようなときに、裏紙に両面印刷を行う無駄な印刷を防止して、効率良くプリンタ装置を使用することができる。また、以上の例では、コマンドＡ群操作部８０及びコマンドＢ群操作部８１は、両面印刷方式又は片面印刷方式を指示設定するようにしているが、代わりに、高速搬送又は低速搬送を指示設定するようにしても良い。これによって、用紙ジャムの発生率を低く抑えることが可能となる。
【００７４】
続いて、第四の実施例について図２８に基づいて説明する。本実施例では、図２８に示すように、メイン制御部５０は、取り着けられた用紙カセット１1 ，１2 毎に、収容された用紙がどの程度の印刷速度に耐え得る品質であるかを示す操作者によって設定された用紙品質情報を格納する用紙品質情報格納部６４と、操作部５５又はホスト５３からの指示に応じて、前記印刷速度制御部６５を介して速度可変機構部１５２に対して印刷速度の指示を行う前記印刷速度指示部に相当する解析部６２と、当該用紙品質情報格納部６４から得られた用紙品質情報に基づいて、前記解析部６２によって指示された印刷速度に耐え得る用紙を給紙先として選択を指示する給紙選択指示部７３とを有する。
【００７５】
また、速度可変機構部１５２には、前記給紙先選択指示部７３によって選択が指示された用紙カセットから給紙を行う給紙機構７５がある。第四の実施例によれば、前述した第一の実施例及び第二の実施例のように、用紙カセット１1 ，１2 に対して、ホスト５３からの高速印刷の指示を無視する制御を行うのではなく、前記給紙先選択指示部７３及び給紙機構７５を設けることによって、ホスト５３から高速印刷指定のコマンドがあった場合には、自動的に前記用紙品質情報に基づいて、高速印刷可能な用紙が収容されているとして設定された用紙カセット１1 ，１2 を給紙先に選択する。したがって、本実施例によれば、上位装置であるホスト又は操作者の指示である高速印刷を、用紙ジャムの発生を未然に防止しながら実現することができるので、信頼性があり、且つ印刷を無駄にするとがなく効率的に行うことができる。
【００７６】
続いて、第五の実施例について図２９及び図３０に基づいて説明する。本実施例に係るプリンタ装置は、図２９に示すように、両面印刷方式又は片面印刷方式のいずれかの指示、及び低速印刷又は高速印刷を指示する印刷方式・速度指示部に相当する解析部６２と、当該解析部６２によって両面印刷方式が指示された場合には、印刷速度制御部７０に対して、各用紙について設定され又は識別された媒体品質の如何に拘わらず低速の印刷速度を指示する低速印刷指示部６８とを前記メイン制御部５０に有する。さらに、前記メカ制御部５１には、前記印刷方式制御部７１と、印刷速度制御部７０とを有する。
【００７７】
続いて、第五の実施例に係るプリンタ装置の動作について説明する。図３０に示すように、ステップＳ３１で、前記ホスト５３からの印刷起動の信号及び印刷データが受信されると、受信されたデータは前記解析部６２によって解析処理がなされ、装置の設定指示に関する情報と、実際の印刷データとを別々に処理をする。ステップＳ３２で、１ページ分の印刷データの生成が完了する毎に、メイン制御部５０はホスト５３から送信されてきた設定情報をチェックし、当該解析部６２によって印刷起動か否かが判断される。印刷起動でない場合には、ステップＳ３１に戻り印刷起動を待つ。ステップＳ３２で、印刷起動の場合には、ステップＳ３３に進み、前記低速印刷指示部６８は、前記解析部６２の解析結果から、両面印刷方式又は片面印刷方式かを判断する。
【００７８】
両面印刷方式が指示された場合には、さらに、ステップＳ３４に進み、当該低速印刷指示部６８は、ホスト５３からの指示が高速印刷モードか否かを判断する。高速印刷モードによる指示であると判断した場合には、ステップＳ３５に進み、前記印刷速度制御部７０に対して設定を低速印刷モードに変更する。一方、低速印刷指示部６８が、ホスト５３からの指示が低速印刷モードによる指示であると判断した場合には、ステップＳ３６に進み、ホスト５３からの指示通りに前記印刷速度制御部７０に対して低速の印刷速度の指示を行いステップＳ３６に進む。さらに、ステップＳ３３で、ホスト５３からの指示が両面印刷方式による指示でないと判断した場合には、ステップＳ３６に進みホスト５３からの指示通りに印刷起動処理を行う。
【００７９】
以上説明したように、第五の実施例によれば、高速印刷モードと、低速印刷モードの２種類の印刷速度を選択設定可能な装置において、印刷起動時に両面印刷モードが選択された場合、低速印刷モードに自動的に切り換えるため、両面印刷の際でも用紙の皺，カール等がより発生しにくく、用紙ジャムの発生を抑え、信頼性があり、効率が良く、装置寿命を長く保つプリンタ装置を提供することがきる。本実施例の応用例として、装置内に高速印刷可能な用紙と、低速印刷モードにしか対応していない用紙が混在する場合に、両面印刷モードが指定された時に、自動的に高速印刷が可能な用紙に（用紙の品質が良いことを意味する）給紙先が切り換わる制御を行うようにしても良い。さらに、もし低速印刷モードにしか対応していない用紙カセットに対して、両面印刷モードが指定された場合には、この両面印刷指定を無視するか、あるいはブザー等でオペレータに警告する制御の例が応用例として考えられる。
【００８０】
次に、第六の実施例について説明する。第六の実施例は、前述の図２３〜図２５で説明した第二の実施例をさらに改良したものである。本実施例では、第二の実施例で示したように、操作者の所定の操作に応じて、予め定められた順序で各種モードに応じた設定内容が順次切り換えられ、当該操作を繰り返すことによって順次各種モードの設定が行われる各種モード順次設定部と、当該各種モード順次設定部の各種モードに応じた設定の内容の切換えに同期して、当該設定内容に関連する事項を順次表示する表示部とを有する。さらに、本実施例では、第二の実施例と異なり、その他に、用紙が収容される用紙カセットのプリンタ装置への取着又は脱着を検出する用紙カセット着脱検出部と、複数の用紙カセットのうちいずれかの着脱が検出された場合には、当該設定内容及び表示内容を、両面印刷方式又は片面印刷方式を含む印刷方式の設定を行う段階に切り換える印刷方式設定段階切換部と、前記印刷方式設定段階切換部によって切り換えられた段階で、取り着けられた複数の用紙カセット毎に、前記各種モード順次設定部を用いて設定された印刷方式を示す用紙品質情報を格納する用紙品質情報格納部とを有する。本実施例では、一般に、用紙カセットの着脱（抜き差し）が行われたときは、用紙の種類が変更になったか、新しく用紙をカセットに給紙したことを利用したものである。第六の実施例によれば、用紙カセットの着脱が発生したときに、自動的に直ちに、前記各種モード順次設定部によって、両面印刷方式の設定を行うことができるように切り換えている。従って、毎回オペレータパネルを操作しセットアップメニュー（階層化されており、設定画面へ移行するには煩雑なスイッチ操作が必要）から両面印刷方式を設定する必要がなく、操作性が向上し、誤設定も未然に防ぐことができる。
【００８１】
さらに、第七の実施例について、図３１及び図３２に基づいて説明する。第七の実施例によると、印刷速度の変更が可能な速度可変機構部１５２と、ホスト５３からの指示に応じて、印刷速度の指示を行う印刷速度指示部に相当する解析部６２と、用紙の搬送不良の発生率を算出するＪＡＭ発生率算出部６９と、予め定めた閾値以上の発生率が、前記ＪＡＭ発生率算出部６９によって算出された場合には、前記解析部６３による高速搬送の指示を低速搬送の指示に変更する低速変更部５６と、用紙の搬送路に面した位置に設けられ、一定時間内に用紙が通過したか否かを検出することによって搬送不良（ＪＡＭ）が発生したか否かを検出する用紙センサ５８とを有する。
【００８２】
続いて、第七の実施例の動作について図３２に基づいて説明する。ステップＳ４１で、前記ホスト５３からの印刷起動の信号及び印刷データは前記メイン制御部６０に受信される。受信されたデータは前記解析部６２によって解析処理がなされ、装置の設定指示に関する情報と、実際の印刷データとを別々に処理する。ステップＳ４２で、１ページ分の印刷データの生成が完了する毎に、メイン制御部５０はホスト５３から送信されてきた設定情報をチェックし、当該解析部６２によって印刷起動か否かが判断される。印刷起動でない場合には、ステップＳ４１に戻り印刷起動を待つ。ステップＳ４２で、印刷起動であると判断された場合には、ステップＳ４３に進み、前記解析部６２は、ホスト５３からのコマンドに応じて、印刷速度を指示する。
【００８３】
ステップＳ４３で、前記低速変更部５６は、前記解析部６２が低速印刷モードを指示したと判断した場合にはステップＳ４４に進み、そのまま、低速モードで、前記印刷速度制御部７０に対し印刷起動処理を指示する。一方、ステップＳ４３で、前記低速変更部５６は、高速印刷モードの指示であると判断した場合には、ステップＳ４５に進み、高速印刷モードで印刷起動処理を指示する。その際、ステップＳ４６で、前記用紙センサ５８が、用紙の搬送不良（ＪＡＭ）を検出していない限りは、ステップＳ４９に進み、前記ＪＡＭ発生率算出部６９は総印刷枚数を計数する。ステップＳ５０で、当該ＪＡＭ発生率算出部６９は、ＪＡＭ発生率÷総印刷枚数＝ＪＡＭ発生率の式より、ＪＡＭ発生率を算出する。ステップＳ５１で、前記低速変更部５６はＪＡＭ発生率が一定値ｋより大きいか小さいかを判断する。ＪＡＭ発生率が一定値ｋより小さい場合には、前記解析部６２の高速モードの指示を変更することなくそのまま、印刷速度制御部７０に伝える。
【００８４】
一方、ステップＳ５１で、当該低速変更部５６は、ＪＡＭ発生率が一定値ｋより大きいと判断された場合には、ステップＳ５２に進み、低速印刷モードに変更する。さて、ステップＳ４６で、用紙センサ５８によりＪＡＭが発生したと判断した場合には、ステップＳ４７に進み、前記ＪＡＭ発生率算出部６９はＪＡＭ発生数を計数し、ステップＳ４８で操作者によってＪＡＭのない状態に復帰処理がされる。
【００８５】
以上説明したように、第七の実施例にあっては、高速プロセスモード（高速搬送モード）と、低速プロセスモード（低速搬送モード）の２種類の印刷速度を選択切り換え可能な装置で、高速印刷モードが選択されていたときに、総印刷枚数と、ジャムの発生回数から用紙ジャムの発生率を算出し、該用紙ジャムの発生率が一定値を越えた場合に、用紙の品質があまりよくないと判断し、自動的に低速印刷モードに切り換える制御を行う。したがって、ＪＡＭの発生可能性が高い場合には、自動的に低速印刷モードで印刷を行うので、ＪＡＭの発生を未然に防止して、印刷効率の良いプリンタ装置を提供することができる。尚、上記の例では、高速印刷モードと低速印刷モードの切り換えについて述べたが、両面印刷実行時に用紙ジャムの発生率が、一定値を越えた場合に、自動的に片面印刷モードに切り換わる制御を行う応用例が上げられる。
【００８６】
第八の実施例について、図３３及び図３４に基づいて説明する。図３３に示すように、第八の実施例に係るプリンタ装置では、用紙の印刷速度が変更可能な速度可変搬送機構部１５２と、上位装置であるホスト５３からの指示に応じて、印刷速度の指示を行う前記印刷速度指示部に相当する解析部６２と、用紙が収容される用紙カセット１のプリンタ装置への取着又は脱着を検出する着脱センサ５９と、印刷枚数を計数する印刷カウンタ８３と、前記用紙カセットの着脱が検出された場合には、検出されてから暫くの間、即ち印刷カウンタ８３が一定値（この例では２回）を越える場合は前記解析部６２の解析結果である高速搬送の指示に拘わらず、低速搬送に変更する暫時低速変更部７７とを有するものである。
【００８７】
続いて、第八の実施例に係る動作について、図３４に基づいて説明する。同図に示すように、ステップＳ６１で、前記ホスト５３からの印刷起動の信号及び印刷データは前記メイン制御部５０に受信される。受信されたデータは前記解析部６２によって解析処理がなされ、装置の設定指示に関する情報と、実際の印刷データとを別々に処理をする。ステップＳ６２で、１ページ分の印刷データの生成が完了する毎に、メイン制御部５０はホスト５３から送信されてきた設定情報をチェックし、当該解析部６２によって印刷起動か否かが判断される。印刷起動でない場合には、ステップＳ６１に戻り印刷起動を待つ。ステップＳ６２で、印刷起動であると判断された場合には、ステップＳ６５に進み、前記暫時低速変更部７７は、解析部６２の解析結果が高速印刷モード又は低速印刷モードかを判断する。
【００８８】
高速印刷モードが指示された場合には、ステップＳ６６に進み、当該暫時低速変更部７７は、前記着脱センサ５９によって、用紙カセット１が着脱された後、前記印刷カウンタ８３が２を越えたか否かを判断する。ステップＳ６６で、当該暫時低速変更部７７は、まだ、前記印刷カウンタ８３が２を越えていないと判断された場合、又はステップＳ６５で前記解析部６２の指示が低速モードである場合には、ステップＳ６７に進み、前記印刷速度制御部７０に対して低速印刷モードを指定する。一方、ステップＳ６８で、前記印刷カウンタ８３の計数結果である印刷回数が２を越えていると判断された場合には、前記暫時低速変更部７７は、前記印刷速度制御部７０に対して高速印刷モードを指定する。このように、ステップＳ６７で低速印刷モードの指定又はステップＳ６８で高速印刷モードの指定があると、ステップＳ６９で印刷処理がなされ、ステップＳ７０で、前記暫時低速変更部７７は、着脱後の印刷カウンタ８３を加算して、ステップＳ６１に戻る。
【００８９】
以上説明したように、第八の実施例では、一般に、用紙の補給を行った直後の最初の数枚は用紙の斜行等で用紙ジャムが発生しやすいというデータがある。低速印刷モードと、高速印刷モードの２種類の印刷速度を選択切り換え可能な装置で、用紙カセットの着脱を検出した場合に（用紙の補給等があったと見なし）、最初の数枚（上記の例では２枚）は低速モードで印刷起動を行い、印刷プロセスが安定したのちに高速印刷モードに切り換える制御を行うことにより、用紙ジャムの発生率を低く抑えることができる。上記の例の応用例として、用紙カセットの着脱が発生した場合、最初の数枚は両面印刷を禁止し、片面モードでしか印刷できないようにして、用紙ジャムの発生率を低く抑える例があげられる。
【図面の簡単な説明】
【００９０】
【図１】第一の発明の原理ブロック図
【図２】第二の発明の原理ブロック図
【図３】第三の発明の原理ブロック図
【図４】第四の発明の原理ブロック図
【図５】第五の発明の原理ブロック図
【図６】第六の発明の原理ブロック図
【図７】第七の発明の原理ブロック図
【図８】第八の発明の原理ブロック図
【図９】第九の発明の原理ブロック図
【図１０】第十の発明の原理ブロック図
【図１１】第十一の発明の原理ブロック図
【図１２】第十二の発明の原理ブロック図
【図１３】第十三の発明の原理ブロック図
【図１４】第十四の発明の原理ブロック図
【図１５】実施例に係るプリンタを示す図
【図１６】実施例に係るブロック図
【図１７】第一の実施例に係るブロック図
【図１８】第一の実施例に係る用紙の品質の説明図
【図１９】第一の実施例に係る識別機構を示す斜視図
【図２０】第一の実施例に係るカセットセンサを示す図
【図２１】第一の実施例に係る他のカセットセンサの例を示す図
【図２２】第一の実施例に係る流れ図
【図２３】第二の実施例に係るブロック図
【図２４】第二の実施例に係る説明図
【図２５】第二の実施例に係るセットアップメニューの例を示す図
【図２６】第三の実施例に係るブロック図
【図２７】第三の実施例の説明図
【図２８】第四の実施例に係るブロック図
【図２９】第五の実施例に係るブロック図
【図３０】第五の実施例に係る流れ図
【図３１】第七の実施例に係るブロック図
【図３２】第七の実施例に係る流れ図
【図３３】第八の実施例に係るブロック図
【図３４】第八の実施例に係る流れ図
【図３５】従来例に係るブロック図
【符号の説明】
【００９１】
１１（６２）…印刷速度指示手段（解析部）
１２（６３）…印刷速度変更手段（印刷速度変更部）
１３，１５，４６，４８（６４）…媒体情報出力手段（用紙品質情報格納部）
１４（７０）…印刷速度制御手段（印刷速度制御部）
１６（６２）…印刷方式・速度指示手段（解析部）
２０，２３（８０）…公開コマンド指示手段（コマンドＡ群操作部）
２１，２４（８１）…非公開コマンド設定手段（コマンドＢ群操作部）
２２…非公開コマンド優先印刷方式指示手段
２５（６６）…非公開コマンド優先印刷速度指示手段（Ｂ群優先印刷方式指示部）
２６（７１）…印刷方式制御手段（印刷方式制御部）
２８，３１（７３）…給紙先選択手段（給紙先選択指示部）
２９（６２）…印刷方式指示手段（解析部）
３０（６８）…低速印刷指示手段（低速印刷指示部）
３２，４３（６７）…片面印刷変更手段（片面印刷変更部）
３３…警報指示手段
３４…警報手段
３５…印刷速度設定段階切換手段
３６（５４）…表示手段（表示部）
３７…印刷方式設定段階切換手段
３８（５９）…媒体収容部着脱検出手段（着脱センサ）
３９（７９）…各種モード順次設定手段（各種モード順次設定部）
４１（５６）…低速変更手段（高速低速変更部）
４２（６９）…ＪＡＭ発生率算出手段
４４（７７）…暫時低速変更手段（暫時低速変更部）
４５…暫時片面印刷変更手段
【図１】
2008296594.tif 000003
【図２】
2008296594.tif 000004
【図３】
2008296594.tif 000005
【図４】
2008296594.tif 000006
【図５】
2008296594.tif 000007
【図６】
2008296594.tif 000008
【図７】
2008296594.tif 000009
【図８】
2008296594.tif 000010
【図９】
2008296594.tif 000011
【図１０】
2008296594.tif 000012
【図１１】
2008296594.tif 000013
【図１２】
2008296594.tif 000014
【図１３】
2008296594.tif 000015
【図１４】
2008296594.tif 000016
【図１５】
2008296594.tif 000017
【図１６】
2008296594.tif 000018
【図１７】
2008296594.tif 000019
【図１８】
2008296594.tif 000020
【図１９】
2008296594.tif 000021
【図２０】
2008296594.tif 000022
【図２１】
2008296594.tif 000023
【図２２】
2008296594.tif 000024
【図２３】
2008296594.tif 000025
【図２４】
2008296594.tif 000026
【図２５】
2008296594.tif 000027
【図２６】
2008296594.tif 000028
【図２７】
2008296594.tif 000029
【図２８】
2008296594.tif 000030
【図２９】
2008296594.tif 000031
【図３０】
2008296594.tif 000032
【図３１】
2008296594.tif 000033
【図３２】
2008296594.tif 000034
【図３３】
2008296594.tif 000035
【図３４】
2008296594.tif 000036
【図３５】
2008296594.tif 000037